(57)【要約】【課題】上面からの放熱効率に優れ、下面からの放熱量が少ない床暖房パネルを提供する。【解決手段】一方の板面に配管収容用の溝１２が設けられた板状の基体１１と、該溝１２内に配設された熱媒流通用の配管１３と、該基体の該一方の板面上に積層された放熱薄板１４と、伝熱材１５とを有する床暖房パネル。該配管１３のピッチが１００〜３５０ｍｍであり、該配管１３からの放熱のうち前記一方の板面からの放熱割合である上面放熱効率が８５％以上である。放熱薄板１４は厚さ３０〜３５０μｍのアルミニウム箔よりなることが好ましい。特に、配管１３のピッチが１５０〜３１０ｍｍであり、アルミニウム箔の厚さが８０〜２００μｍであることが好ましい。【選択図】図１
2008014579.tif 000002
【特許請求の範囲】
【請求項１】
一方の板面に配管収容用の溝が設けられた板状の基体と、
該溝内に配設された熱媒流通用の配管と、
該基体の該一方の板面上に積層された放熱薄板と、
を有する床暖房パネルにおいて、
該配管のピッチが１００〜３５０ｍｍであり、前記一方の板面からの放熱と他方の板面からの放熱との合計のうち前記一方の板面からの放熱割合である上面放熱効率が８５％以上であることを特徴とする床暖房パネル。
【請求項２】
請求項１において、前記放熱薄板は厚さ３０〜５００μｍのアルミニウム箔よりなることを特徴とする床暖房パネル。
【請求項３】
請求項２において、前記配管のピッチが１５０〜３１０ｍｍであり、アルミニウム箔の厚さが８０〜２００μｍであることを特徴とする床暖房パネル。
【請求項４】
請求項１ないし３のいずれか１項において、前記溝内において前記配管の外面に接する略Ｕ字形断面形状のＵ字部と、該Ｕ字部から張り出し、前記放熱薄板に接している張出部とを備えた伝熱材を有することを特徴とする床暖房パネル。
【発明の詳細な説明】
【技術分野】
【０００１】
本発明は、温水等の熱媒を配管に通して床暖房を行う床暖房パネルに関する。詳しくは、一方の板面に配管収容用の溝が設けられた板状の基体と、該溝内に配設された熱媒流通用の配管と、該基体の該一方の板面上に積層された放熱薄板とを有する床暖房パネルに関するものである。
【背景技術】
【０００２】
従来、一般住宅、集合住宅、ホテル、病院、高齢者養護施設などの建造物の床には、居住性を高める目的で、床面から暖房する床暖房構造が開発、実用化され、各種態様の床暖房構造が提案されている。特に、温水等の熱媒を通す放熱管を設けた床暖房構造は、ヒーター加熱によるものとは異なり、局部的に過熱状態が生じにくく、放熱性も良好であるという利点を有し、広く採用されるようになってきている。
【０００３】
この床暖房パネルとして、特開２００５−１５６０８１号公報には、一方の板面に配管収容用の溝が設けられた板状の基体と、該溝内に配設された熱媒流通用の配管と、該基体の該一方の板面上に積層された放熱薄板と、該溝内において該配管の外面に接する略Ｕ字形のＵ字部及び該Ｕ字部から張り出し前記放熱薄板に接している張出部を備えた伝熱材とを有する床暖房パネルが記載されている。
【０００４】
この特開２００５−１５６０８１号公報では、配管のピッチは７５ｍｍであり、放熱薄板は厚さ８０μｍ以上のアルミニウム箔である。伝熱材はアルミニウム板よりなる。板状の基体は発泡倍率が１０〜２０倍の発泡スチレン等の樹脂発泡体よりなる。
【特許文献１】特開２００５−１５６０８１号公報
【発明の開示】
【発明が解決しようとする課題】
【０００５】
本発明者が種々研究を重ねた結果、上記特開２００５−１５６０８１号公報のように溝ピッチが７５ｍｍであると、床暖房パネルの一方の板面（通常の場合、特開２００５−１５６０８１号公報のように上面）からの放熱効率が低いことが認められた。即ち、配管から伝わる熱のうち、床暖房パネルの下面から放出される割合が比較的高い。
【０００６】
本発明は、かかる問題点を解消し、上記一方の板面からの放熱効率に優れた床暖房パネルを提供することを目的とする。
【課題を解決するための手段】
【０００７】
本発明の床暖房パネルは、一方の板面に配管収容用の溝が設けられた板状の基体と、該溝内に配設された熱媒流通用の配管と、該基体の該一方の板面上に積層された放熱薄板とを有する床暖房パネルにおいて、該配管のピッチが１００〜３５０ｍｍであり、前記一方の板面からの放熱と他方の板面からの放熱との合計のうち前記一方の板面からの放熱割合である上面放熱効率が８５％以上であることを特徴とするものである。
【０００８】
この放熱薄板は、厚さ３０〜５００μｍのアルミニウム箔よりなることが好ましい。
【０００９】
本発明では、特に、配管のピッチが１５０〜３１０ｍｍであり、アルミニウム箔の厚さが８０〜２００μｍであることが好ましい。
【００１０】
この床暖房パネルは、該溝内において配管の外面に接する略Ｕ字型断面形状のＵ字部と、該Ｕ字部から張り出し、放熱薄板に接している張出部とを備えた伝熱材を有することが好ましい。
【発明の効果】
【００１１】
本発明者が床暖房パネルの一方の板面（通常は上面）からの放熱効率について種々研究を重ねた結果、配管のピッチを大きくすることにより上面放熱効率が向上すること、また、放熱薄板の厚さをある程度大きくすることによっても上面放熱効率が向上することが見出された。
【００１２】
本発明は、かかる知見に基づくものである。
【００１３】
なお、配管のピッチを大きくすると、その結果として配管の合計長さが短くて済むことになり、配管コストが低減される。また、配管長が短くなると、その中を流れる温水等の熱媒の流通抵抗も小さくなるため、ポンプ圧を低くしても温水を十分に流通させることが可能となる。
【発明を実施するための最良の形態】
【００１４】
以下、図面を参照して本発明の床暖房パネルの実施の形態を詳細に説明するが、以下に説明するものは本発明の実施形態の一例であって、本発明はその要旨を超えない限り、以下の説明に何ら限定されるものではない。
【００１５】
第１図（ａ）は本発明の実施の形態に係る床暖房パネルの平面図、第１図（ｂ）は第１図（ａ）の側面図（Ｂ−Ｂ線矢視図）である。なお、第１図（ａ）においては説明の便宜上、放熱薄板の図示を省略しているが、放熱薄板は実際には第２図に示すように積層一体化されている。第２図（ａ）は第１図のII−II線断面図、第２図（ｂ）は第２図（ａ）の拡大図、第２図（ｃ）は第２図（ｂ）の拡大図である。第３図は基体と伝熱材との係合関係を示す分解斜視図である。
【００１６】
この床暖房パネル１０は、一方の板面（上面）に配管収容用の溝１２が設けられた長方形板状の基体１１と、この溝１２内に伝熱材１５を介して配設された熱媒流通用の配管（放熱管）１３と、基体１１上に積層された放熱薄板１４とを備える。
【００１７】
伝熱材１５は、略Ｕ字形断面形状のＵ字部１５ａと、このＵ字部１５ａの双方の上端から互いに離反方向に張り出す張出部１５ｂとを有した逆Ω字形状のものである。このＵ字部１５ａ内に配管１３が内嵌されている。張出部１５ｂは、溝１２に沿う基体１１の上面に重ね合わされている。この伝熱材１５は、必要に応じ基体１１に対し接着剤又は粘着材によって付着されている。
【００１８】
この実施の形態では、第１図の通り、基体１１と平行に複数枚の小根太１６を並列配置している。小根太１６は、合板よりなる細長い板形状の部材であり、その厚みは基体１１と同一である。１対の小根太１６同士の間に３枚の基体１１（１１Ａ，１１Ｂ，１１Ｃ）が配列されているが、基体の枚数はこれに限定されない。また、各基体１１Ａ〜１１Ｃの３倍の幅を有した１枚の大版の基体を用いてもよい。
【００１９】
３枚の基体１１のうち、小根太１６に沿う基体１１Ａ，１１Ｃにそれぞれ小根太１６と平行に１条の溝１２が設けられ、１条の溝１２内に伝熱材１５を介して１本の配管１３が配設されている。隣接する溝１２，１２の中心間距離即ち配管１３の配列ピッチｐは１００〜３５０ｍｍである。
【００２０】
各溝１２及びその中の配管１３は、それぞれ、小根太１６の一端を回り込んで隣接する小根太１６，１６間の基体１１の溝１２及び配管１３に連なっている。
【００２１】
床暖房パネル１０の一辺縁の途中部位にヘッダー１７が設けられており、配管１３はこのヘッダー１７に接続されている。このヘッダー１７に給湯管と出湯管（図示略）が接続されており、配管１３に熱媒として温水が通水されるよう構成されている。
【００２２】
放熱薄板１４は、各基体１１及び小根太１６の上面を覆うように設けられており、接着剤又は粘着材によって各基体１１及び小根太１６に付着されている。
【００２３】
この床暖房パネル１０は、放熱薄板１４の上にさらに床仕上げ用の表装材層が設けられてもよい。
【００２４】
この床暖房パネル１０は、床合板等の床下地面の上に敷設される。この床暖房パネル１０の放熱薄板１４又はその上の表装材層の上に必要に応じ床仕上げ材が敷設されることにより、暖房床が構築される。
【００２５】
以下に本発明の床暖房パネルを構成する各部材の詳細について説明する。
【００２６】
〈基体〉
基体１１の材質は特に限定されないが、通常、断熱性に富んだ発泡合成樹脂製のものが好ましく、発泡合成樹脂製の板状体、具体的には、ポリウレタン発泡体、ポリエチレン発泡体、ポリプロピレン発泡体、ポリスチレン発泡体、ポリ塩化ビニル発泡体、ポリメチルメタクリレート発泡体、ポリカーボネート発泡体、ポリフェニレンオキサイド発泡体、ポリスチレンとポリエチレン混合物の発泡体などが挙げられる。中でも、ポリエチレン発泡体、ポリプロピレン発泡体、ポリスチレン発泡体などが好適である。基体１１を構成するこれらの板状体の厚さは９〜５０ｍｍの範囲内で選ぶのが好ましい。基体１１の発泡倍率は１０〜５０倍程度が好適である。
【００２７】
〈溝〉
基体１１の一方の板面（上面）には、配管１３を配設するための溝１２が基体１１の長手方向と平行に複数本刻設されている。
【００２８】
溝１２の幅員は、配管１３の外径に伝熱材１５の厚みの２倍を加えた寸法、又はこれより僅かに大きくするのが好ましい。溝１２は、その延在方向に直交する断面形状がＵ字形状又はコ字形状となるように形成されるが、特に、配管１３から床面への伝熱性、配管１３を溝１２に埋設する際の施工性の面から、断面Ｕ字形とすることが好ましい。
【００２９】
溝１２の深さは、配管１３の外径に伝熱材１５の厚みを加えたものと略同一か、それよりも若干深い寸法とするのが好ましい。
【００３０】
〈放熱用の配管１３〉
配管１３には、通常可撓性チューブが使用され、具体的には架橋ポリエチレン管、ポリブテン管などの樹脂管、銅管、鋼管などの金属管のいずれを用いても良い。このうち、金属管は樹脂管に比べて高熱伝導率であるものの重量が重く、加工性、発錆等の問題があり、また、コストも高くなるため、床暖房パネルの用途に用いる場合は、樹脂管が好ましい。
【００３１】
配管１３の断面（長さ方向に直交する方向の断面）形状には特に制限はなく、一般的には第１図に示すような円形とされるが、長円形状ないし楕円形状とすることにより、配管１３と放熱薄板１４との接触面積を増すことができ、表面側への放熱効率をさらに高めることができる。ただし、この場合には基体１１に設ける溝１２の形状を配管１３の形状に倣って適宜設計する。
【００３２】
配管１３の寸法は、床暖房パネルの施工対象や流通させる熱媒の種類や温度によって変更できるものであるが、一般的には外径が６ｍｍ以上１３ｍｍ以下程度、内径が４ｍｍ以上１０ｍｍ以下程度で、肉厚が０．８ｍｍ以上２．０ｍｍ以下程度である。
【００３３】
本発明では、この配管１３の配列ピッチｐを１００〜３５０ｍｍ、特に１５０〜３１０ｍｍとする。このピッチｐを大きくするほど、上面側への伝熱効率が増大する。ただし、ピッチｐが過大になると、床暖房パネルの放熱効率は向上するものの、上面への伝熱量自体が少なくなって上面温度が上昇しにくくなるので、ピッチｐは３５０ｍｍ以下とする。ここで、ピッチｐとは、隣接する配管同士における各配管の中心間距離のことを言う。
【００３４】
〈熱媒〉
配管１３に通す熱媒（加熱媒体）としては、温水、水蒸気、加熱オイル、あるいはエチレングリコール系水溶液、プロピレングリコール系水溶液などの不凍液などが挙げられるが、好ましくは温水である。
【００３５】
〈伝熱材１５〉
伝熱材１５は、配管１３からの熱を放熱薄板１４に伝達すると共に、配管１３を支持する役割を果すものである。
【００３６】
この伝熱材１５は、アルミニウム、銅などの熱良導性の金属材、特にアルミニウムよりなることが好ましい。
【００３７】
伝熱材１５は、図示の通り、Ｕ字部１５ａと１対の張出部１５ｂとを有することが好ましい。張出部１５ｂの張り出し方向の幅員は、溝１２の幅員の５０〜５００％程度が好適である。Ｕ字部１５ａの深さは、該Ｕ字部１５ａ内に収容される配管１３の直径と同一か、それよりも若干（例えば１ｍｍ以下）大きいことが好ましい。この深さとすることにより、配管１３と放熱薄板１４とが直に接触するか又は近接し、上面側への伝熱効率が向上する。
【００３８】
なお、本発明者の研究によると、伝熱材１５の厚みは放熱効率にあまり影響しないことが認められた。ただし、過度に薄いと破れ易くなり、過度に厚いと張出部１５ｂ付近で放熱薄板１４が盛り上ってしまうので、伝熱材１５の厚みは３０〜５００μｍ程度が好ましい。
【００３９】
〈放熱薄板〉
放熱薄板１４は、配管１３を固定すると共に、配管１３の熱を床仕上げ材へ伝達する機能を有し、好ましくは金属箔である。金属箔の種類としては、アルミニウム箔、錫箔、ステンレススチール箔、銅箔などが挙げられる。中でも、製造の難易、コストなどの観点からアルミニウム箔が好適である。金属箔の厚さを大きくするほど、配管１３からの上面側への伝熱量が多くなるが、この傾向は放熱薄板１４の厚みがある程度大きくなると頭打ちとなる。放熱薄板１４が厚くなるほど、放熱薄板１４のコスト及び重量が増大するので、アルミニウム箔の場合は３０〜５００μｍ、特に８０〜２００μｍが好適である。
【００４０】
〈表装材層〉
本発明では、放熱薄板１４の上にさらに表装材層を設けてもよい。
【００４１】
表装材層としては特に制限はないが、放熱薄板側のクッション材層と、この上に積層された床表面材層とを備えるものが好ましい。ただし、クッション材層は必ずしも必要とされず、床表面材層のみでもよい。
【００４２】
クッション材層は、床表面材層上での優れた歩行感覚を得る等の面から、例えばポリウレタン発泡体、ポリオレフィン系発泡体等の発泡樹脂、熱可塑性エラストマー又は不織布を含むものである。
【００４３】
クッション材層の厚さは、その材質、床暖房パネルの施工対象によっても異なるが、床暖房パネルを過度に厚くすることなく、また、配管からの伝熱効率を損なうことなく、十分な歩行性等を得る上で、１ｍｍ以上６ｍｍ以下、特に２ｍｍ以上５ｍｍ以下の範囲とすることが好ましい。
【００４４】
床表面材層は、配管を埋設した基体を保護すると共に、床面外観の意匠性と耐久性を高めるためのものであり、通常は合板等の木製、発泡ゴム製で、好ましくは木製のものであり、その表面に通常は、天然木材板又は木目模様などの印刷模様を施したプラスチックフィルム、不織布、強化紙など、好ましくは天然木材板又は強化紙が貼着される。
【００４５】
床表面材層の厚さは、薄すぎると強度が不足して破損しやすくなり、厚すぎると配管からの伝熱効率が低下すると共に床暖房パネルの厚さが厚くなるため、３ｍｍ以上１５ｍｍ以下の範囲とするのが好ましい。
【００４６】
なお、このような床表面材層の上に更に樹脂塗装等を施しても良い。
【００４７】
〈上面放熱効率〉
上面放熱効率は、床暖房パネルの上面からの放熱量と下面からの放熱量との和における上面からの放熱量の百分率である。本発明の床暖房パネルは、８５％以上の上面放熱効率を有する。
【００４８】
床暖房パネルの上面からの放熱量及び下面からの放熱量は、床暖房パネルの上面及び下面に熱流計を設け、床暖房パネルを発熱させることにより測定することができる。
【００４９】
第６図は、この測定を行うための装置の一例を示す断面図である。
【００５０】
高さ１００ｍｍの脚３１によって、発泡倍率２０倍の発泡スチレンよりなる９０９ｍｍ×９０９ｍｍで厚さ５０ｍｍのベース３２が水平に設置されている。
【００５１】
このベース３２の上に厚さ１２ｍｍの合板３３が設置されている。
【００５２】
この合板３３の上面の中央部に下側熱流計５１が設置され、その上に、試験に供される床暖房パネル４０が設置される。
【００５３】
この床暖房パネル４０は、上記床暖房パネル１０と同様の基体１１、配管１３、放熱薄板１４、小根太１６を備えている。
【００５４】
下側熱流計５１は、３００ｍｍ×３００ｍｍであり、１対の小根太１６，１６間の基体１１の下面に重なり、かつ各小根太１６，１６のそれぞれ半分に重なるように配置されている。床暖房パネル４０の側周囲は、配管１３を有しない基体３４によって構成されている。
【００５５】
床暖房パネル４０の上側に厚さ１２ｍｍの合板３５が敷設され、この合板３５の上に上側熱流計５２が配置されている。この上側熱流計５２の大きさは下側熱流計５１と同一である。上下の熱流計５１，５２は、平面視において重なり合う配置となっている。なお、図示の通り、合板３３，３５及び基体３４の外周縁は、ベース３２の外周縁と合致している。
【００５６】
気温２０℃の状態で配管１３に８０℃の温水を通水し、熱的平衡状態となった時点での各熱流計５１，５２の検出熱流量Ｗ５１，Ｗ５２に基づき、上面放熱効率を算出する。上面放熱効率は、（Ｗ５２／（Ｗ５１＋Ｗ５２））×１００％として計算される。
【００５７】
上側熱量計５２により測定した上面放熱量が、１００Ｗ/ｍ２のものを×印、１００〜１０５Ｗ/ｍ２のものを△印、１１０〜１２０Ｗ/ｍ２のものを○印、１２０Ｗ/ｍ２以上のものを◎印として表１に示した。
さらに、上面放熱効率が８３．０〜８３．９％のものを△印、８４．０〜８４．９％のものを△＋印、８５．０〜８５．９％のものを○印、８６．０％以上のものを◎印として表１に示した。
【実施例】
【００５８】
以下に実施例及び比較例を挙げて本発明をより具体的に説明する。
【００５９】
実施例１
第１図〜第３図に示す床暖房パネルを製作した。床暖房パネルの平面寸法は２３７９ｍｍ×３２８８ｍｍ、小根太１６の枚数は１０枚、小根太１６の配列ピッチは３０３ｍｍである。
【００６０】
床暖房パネルの構成部材として用いたものは次の通りである。  
基体１１：下記の溝１２を形成した厚さ１２ｍｍのポリスチレン発泡体製板状体
発泡倍率：２０倍
溝形状：断面Ｕ字形
溝開口幅：８ｍｍ
溝深さ：７．２ｍｍ
溝ピッチ：１５１．５ｍｍ
配管１３：外径７．２ｍｍ、内径５ｍｍの架橋ポリエチレン管
配列ピッチｐ：１５１．５ｍｍ
伝熱材１５：厚さ１００μｍのアルミニウム製。張出部１５ｂの張出幅９ｍｍ、Ｕ字
部１５ａの深さ７．２ｍｍ。
【００６１】
放熱薄板１４：厚さ２００μｍのアルミニウム箔
小根太１６：厚さ１２ｍｍ、幅４５ｍｍ、長さ２３２９ｍｍの合板
【００６２】
この床暖房パネルについて上面放熱量、下面放熱量及び上面放熱効率を測定し、結果を表１に示した。
【００６３】
実施例２
実施例１において、小根太１６，１６間に配列された２本の配管１３，１３の間隔を２２５ｍｍとしたこと以外は同様にして床暖房パネルを製造した。この床暖房パネルの上面放熱量、下面放熱量及び上面放熱効率を測定し、結果を表１に示した。
【００６４】
実施例３
実施例１において、放熱薄板１４の厚さを１２０μｍとしたこと以外は同様にして床暖房パネルを製造した。この床暖房パネルの上面放熱量、下面放熱量及び上面放熱効率を測定し、結果を表１に示した。
【００６５】
実施例４
実施例１において、放熱薄板１４の厚さを８０μｍとしたこと以外は同様にして床暖房パネルを製造した。この床暖房パネルの上面放熱量、下面放熱量及び上面放熱効率を測定し、結果を表１に示した。
【００６６】
実施例５
実施例１において、放熱薄板１４の厚さを４０μｍとしたこと、および伝熱材１５を設けなかったこと以外は同様にして床暖房パネルを製造した。この床暖房パネルの上面放熱量、下面放熱量及び上面放熱効率を測定し、結果を表１に示した。
【００６７】
実施例６
実施例１において、小根太１６、１６間に配列された２本の配管１３、１３の間隔を２２５ｍｍとしたこと、放熱薄板１４の厚さを４０μｍとしたこと、および伝熱材１５を設けなかったこと以外は同様にして床暖房パネルを製造した。この床暖房パネルの上面放熱量、下面放熱量及び上面放熱効率を測定し、結果を表１に示した。
【００６８】
実施例７
実施例１において、放熱薄板１４の厚さを４０μｍとしたこと以外は同様にして床暖房パネルを製造した。この床暖房パネルの上面放熱量、下面放熱量及び上面放熱効率を測定し、結果を表１に示した。
【００６９】
実施例８
実施例１において、伝熱材１５を設けなかったこと以外は同様にして床暖房パネルを製造した。この床暖房パネルの上面放熱量、下面放熱量及び上面放熱効率を測定し、結果を表１に示した。
【００７０】
比較例１
第４図及び第５図に示す床暖房パネル１０Ａを製造した。この床暖房パネル１０Ａは、実施例１の床暖房パネル１０において、１対の小根太１６，１６間に４本の配管１３を平行に配設し、配管１３のピッチを７４．７ｍｍとし、放熱薄板１４の厚さを４０μｍとし、伝熱材１５を設けないものである。その他の構成は床暖房パネル１０と同一であり、同一符号は同一部分を示している。第５図は第４図のＶ−Ｖ線断面図である。
【００７１】
この床暖房パネル１０Ａの上面放熱量、下面放熱量及び上面放熱効率を測定し、結果を表１に示した。
【００７２】
比較例２
比較例１において、放熱薄板１４の厚さを２００μｍとしたこと以外は同様にして床暖房パネルを製造した。この床暖房パネルの上面放熱量、下面放熱量及び上面放熱効率を測定し、結果を表１に示した。この場合、配管１３のピッチｐが１００ｍｍ以下であるため配管長が長くなること、かつ厚さ２００μｍの放熱薄板を設けていることから、床暖房パネルの製造コストは高くなる。
【００７３】
比較例３
比較例１において、伝熱材１５を設けたこと以外は同様にして床暖房パネルを製造した。この床暖房パネルの上面放熱量、下面放熱量及び上面放熱効率を測定し、結果を表１に示した。
【００７４】
【表１】
2008014579.tif 000003
【００７５】
表１の通り、実施例１〜８のように配管１３のピッチを１００ｍｍ以上とし、放熱薄板１４の厚さを４０μｍ以上とすることにより、上面放熱効率が高くなり、また下面からの放熱量が低くなる。
【００７６】
比較例１〜３のように、伝熱材１５の有無、あるいは放熱薄板１４の厚さに関わらず、配管１３のピッチが７５ｍｍの場合、上面放熱効率が８５％よりも低い値となる。
【００７７】
表１のとおり、実施例１、２のように放熱薄板１４の厚さを２００μｍとし、  伝熱材１５を設けた場合と、また、実施例５，６のように放熱薄板１４の厚さを４０μｍとし、伝熱材１５を設けない場合とのいずれにおいても、配管１３のピッチが大きい方が、上面放熱効率が高くなり、またまた下面からの放熱量が低くなる。
【００７８】
表１のとおり、実施例１，８のように放熱薄板１４の厚さを２００μｍとし、伝熱材１５を設けた場合と、設けない場合とでは、伝熱材１５を設けた場合の方が上面放熱効率は高くなり、また下面からの放熱量が高くなる。このことは、実施例５，７のように放熱薄板１４の厚さを４０μｍとした場合でも同様の結果となる。
【００７９】
表１のとおり、実施例３，４のように伝熱材１５を設け、放熱薄板１４の厚さを、それぞれ１２０μｍ、８０μｍとした場合、放熱薄板１４の厚さが厚い方が、上面放熱効率は高くなり、また下面からの放熱量が高くなる。このことは、実施例５、８のように伝熱材１５を設けた場合と、設けない場合とにおいても同様の結果となる。
【００８０】
このように、上面放熱効率を８５％以上にするためには、配管のピッチを１００〜３５０ｍｍ、伝熱材１５を設けるか設けないか、あるいは放熱薄板１４の厚さを３０〜５００μｍのものを適宜組み合わせれば良い。
【図面の簡単な説明】
【００８１】
【図１】（ａ）図は本発明の床暖房パネルの実施の形態を示す平面図であり、（ｂ）図は（ａ）図のＢ−Ｂ線矢視図である。
【図２】図１の床暖房パネルの断面図である。
【図３】図１の床暖房パネルの分解斜視図である。
【図４】（ａ）図は従来の床暖房パネルを示す断面図、（ｂ）図は（ａ）図のＢ−Ｂ線矢視図である。
【図５】図４のＶ−Ｖ線断面図である。
【図６】放熱特性の測定装置を示す断面図である。
【符号の説明】
【００８２】
１０，１０Ａ  床暖房パネル
１１  基体
１２  溝
１３  配管
１４  放熱薄板
１６  小根太
【図１】
2008014579.tif 000004
【図２】
2008014579.tif 000005
【図３】
2008014579.tif 000006
【図４】
2008014579.tif 000007
【図５】
2008014579.tif 000008
【図６】
2008014579.tif 000009